(57)【要約】【課題】  ユーザにわかりやすいネットワーク情報の表示を実現する。【解決手段】  自機の周辺に存在するネットワークを検索する検索手段と、前記検索手段により検索されたネットワークの情報を、ネットワークＩＤが隠蔽されていない第１ネットワークとネットワークＩＤが隠蔽されている第２ネットワークのいずれであるかを識別できるよう表示部に一覧表示する表示制御手段とを有し、前記検索手段により、前記第２ネットワークが複数検索された場合、前記表示制御手段は、検索された複数の第２ネットワークを示す１つのネットワーク情報を表示することを特徴とする。【選択図】  図８
2014078914.tif 000002
【特許請求の範囲】
【請求項１】
自機の周辺に存在するネットワークを検索する検索手段と、
前記検索手段により検索されたネットワークの情報を、ネットワークＩＤが隠蔽されていない第１ネットワークとネットワークＩＤが隠蔽されている第２ネットワークのいずれであるかを識別できるよう表示部に一覧表示する表示制御手段とを有し、
前記検索手段により、前記第１ネットワークが複数検索された場合、前記表示制御手段は、検索された第１ネットワーク毎にネットワーク情報を表示し、
前記検索手段により、前記第２ネットワークが複数検索された場合、前記表示制御手段は、検索された複数の第２ネットワークを示す１つのネットワーク情報を表示することを特徴とする通信装置。
【請求項２】
前記検索手段により前記第１ネットワークが検索された場合、前記表示制御手段は前記第１ネットワークのネットワーク情報として対応するネットワークＩＤを表示し、
前記検索手段により前記第２ネットワークが検索された場合、前記第２ネットワークのネットワーク情報としてネットワークＩＤを表示しないことを特徴とする請求項１に記載の通信装置。
【請求項３】
ユーザ操作に基づき、前記表示部に一覧表示されたネットワーク情報のうちいずれかを選択する選択手段をさらに有し、
前記選択手段により前記第２ネットワークに対応するネットワーク情報が選択された場合、前記表示制御手段は、ネットワークＩＤの入力を受け付ける画面を表示することを特徴とする請求項１または２に記載の通信装置。
【請求項４】
前記検索手段により検索されたネットワークにセキュリティ設定がされているかを判断する判断手段をさらに有し、
前記表示制御手段は、前記判断手段によりセキュリティ設定がされていると判断した場合、前記ネットワーク情報に前記セキュリティ設定がされていることを示す情報を表示することを特徴とする請求項１乃至３のいずれか１項に記載の通信装置。
【請求項５】
前記判断手段はさらに、前記検索手段により検索されたネットワークに設定されたセキュリティの種別を判断することを特徴とする請求項４に記載の通信装置。
【請求項６】
前記選択手段により、複数の第２ネットワークを示すネットワーク情報が選択された場合、前記表示制御手段は前記セキュリティの種別の入力を受け付ける画面を表示することを特徴とする請求項５に記載の通信装置。
【請求項７】
前記検索手段により複数の第２ネットワークが検索された場合であって、
前記複数の第２ネットワークにすべて同じ種別のセキュリティが設定されており、かつ前記選択手段により、前記複数の第２ネットワークを示すネットワーク情報が選択された場合、前記表示制御手段は前記セキュリティの種別の入力を受け付ける画面を表示せず、
前記複数の第２ネットワークに異なる種別のセキュリティが設定されており、かつ前記選択手段により、前記複数の第２ネットワークを示すネットワーク情報が選択された場合、前記表示制御手段は前記セキュリティの種別の入力を受け付ける画面を表示することを特徴とする請求項５に記載の通信装置。
【請求項８】
前記検索手段により第２ネットワークが１つ検索されており、かつ前記選択手段により前記第２ネットワークを示すネットワーク情報が選択された場合、前記表示制御手段は前記セキュリティ設定の種別の入力を受け付ける画面を表示しないことを特徴とする請求項５乃至７のいずれか１項に記載の通信装置。
【請求項９】
前記表示制御手段は、前記複数の第２ネットワークを示すネットワーク情報を表示する場合、前記複数の第２ネットワークのそれぞれに設定されたセキュリティ設定によらず、前記セキュリティ設定がされていることを識別できる表示を行わないことを特徴とする請求項４乃至８のいずれか１項に記載の通信装置。
【請求項１０】
前記表示制御手段は、前記検索手段により検索されたネットワークの電波強度を前記ネットワーク情報として表示することを特徴とする請求項１乃至９のいずれか１項に記載の通信装置。
【請求項１１】
前記表示制御手段は、前記複数の第２ネットワークを示すネットワーク情報を表示する場合、前記複数の第２ネットワークのそれぞれの電波強度によらず、前記電波強度を表示しないことを特徴とする請求項１０に記載の通信装置。
【請求項１２】
前記第１ネットワーク及び第２ネットワークは、無線ＬＡＮのアクセスポイントにより形成されることを特徴とする請求項１乃至１１のいずれか１項に記載のに記載の通信装置。
【請求項１３】
前記検索手段は、前記アクセスポイントから送信されるビーコン信号を受信することにより前記ネットワークを検索することを特徴とする請求項１２に記載の通信装置。
【請求項１４】
通信装置の制御方法であって、
自機の周辺に存在するネットワークを検索する検索工程と、
前記検索工程で検索されたネットワークの情報を、ネットワークＩＤが隠蔽されていない第１ネットワークとネットワークＩＤが隠蔽されている第２ネットワークのいずれであるかを識別できるよう表示部に一覧表示する表示工程とを有し、
前記検索工程において前記第１ネットワークが複数検索された場合、前記表示工程では、検索された第１ネットワーク毎にネットワーク情報を表示し、
前記検索工程において前記第２ネットワークが複数検索された場合、前記表示工程では、検索された複数の第２ネットワークを示す１つのネットワーク情報を表示することを特徴とする通信装置の制御方法。
【請求項１５】
コンピュータを、請求項１乃至１３のいずれか１項に記載の通信装置の各手段として機能させるコンピュータが実行可能なプログラム。
【発明の詳細な説明】
【技術分野】
【０００１】
本発明は、周辺の機器の情報を表示可能な通信装置に関する。
【背景技術】
【０００２】
近年、無線通信用デバイスの集積化により、携帯用パーソナルコンピュータ（いわゆるノートＰＣ）のみならず、プリンタ、携帯情報端末、デジタルカメラ、いわゆるスマートフォン等の携帯電話に無線ＬＡＮが搭載されるようになってきた。
【０００３】
機器間で無線通信を行う方法の一例として、無線アクセスポイント（ＡＰ）を介して無線ＬＡＮ通信を行うインフラストラクチャーモードがある。インフラストラクチャーモードを利用する際、まず、ユーザが無線ＡＰの検索を実行すると、見つかった無線ＡＰが機器上に表示される。そして、ユーザは表示された無線ＡＰの中から所望のＥＳＳＩＤ（Ｅｘｔｅｎｄｅｄ  Ｓｅｒｖｉｃｅ  Ｓｅｔ  Ｉｄｅｎｔｉｆｅｒ）を持つ無線ＡＰを選択し、暗号鍵などのパラメータを入力することにより無線ＡＰと接続する。このような流れで接続を行うのが一般的である。
【０００４】
一方、無線ＡＰの中には、ビーコン信号にＥＳＳＩＤ情報を含めないステルスモードと呼ばれるモードを有するものがある（特許文献１）。無線ＡＰがステルスモードの場合、機器で無線ＡＰの検索を実行し見つかった無線ＡＰの表示を行う際、ＥＳＳＩＤ情報がないためＥＳＳＩＤを表示する欄が空欄で表示される。ステルスモードの無線ＡＰとの接続を行う場合は、ＥＳＳＩＤが空欄の無線ＡＰを選択し、ＥＳＳＩＤ、暗号鍵などのパラメータを入力することにより接続を行うことができる。
【先行技術文献】
【特許文献】
【０００５】
【特許文献１】特開２００５−１７６１００号公報
【発明の概要】
【発明が解決しようとする課題】
【０００６】
しかしながら、無線ＡＰの検索を実行し、ステルスモードの無線ＡＰが複数見つかった場合、ＥＳＳＩＤの空欄を複数表示すると、どれが所望の無線ＡＰであるかわからないという問題がある。
【課題を解決するための手段】
【０００７】
本発明の通信装置は、自機の周辺に存在するネットワークを検索する検索手段と、前記検索手段により検索されたネットワークの情報を、ネットワークＩＤが隠蔽されていない第１ネットワークとネットワークＩＤが隠蔽されている第２ネットワークのいずれであるかを識別できるよう表示部に一覧表示する表示制御手段とを有し、前記検索手段により、前記第１ネットワークが複数検索された場合、前記表示制御手段は、検索された第１ネットワーク毎にネットワーク情報を表示し、前記検索手段により、前記第２ネットワークが複数検索された場合、前記表示制御手段は、検索された複数の第２ネットワークを示す１つのネットワーク情報を表示することを特徴とする。
【発明の効果】
【０００８】
本発明によれば、ステルスモードの無線ＡＰが複数存在する場合でも、ユーザが所望のＡＰに容易に接続させることが可能となる。
【図面の簡単な説明】
【０００９】
【図１】本発明の実施形態に係る無線通信装置の構成を示した図である。
【図２】無線通信装置において表示される画面の一例である。
【図３】無線通信装置の処理の流れを示したフローチャート図である。
【図４】無線通信装置の処理の流れを示したフローチャート図である。
【図５】無線通信装置の処理の流れを示したフローチャート図である。
【図６】無線通信装置において表示される画面の一例である。
【図７】無線通信装置の処理の流れを示したフローチャート図である。
【図８】無線通信装置において表示される画面の一例である。
【図９】無線通信装置の処理の流れを示したフローチャート図である。
【図１０】無線通信装置において管理される無線ＡＰ情報の一例である。。
【図１１】無線通信装置において表示される画面の一例である。
【発明を実施するための形態】
【００１０】
［第１の実施形態］
図１は、本発明の実施形態における無線通信装置１００の構成を示す図である。無線通信装置１００としては、デジタルカメラ、いわゆるスマートフォンなどの携帯電話、いわゆるタブレット端末、ＰＣなどを用いることが可能である。
【００１１】
内部バス１０９に不揮発性メモリ１０１、メモリ１０２、表示処理部１０３、システム制御回路１０５、及び無線ＬＡＮ通信手段１０７が接続する。内部バス１０９に接続される手段は、内部バス１０９を介して互いにデータをやりとりできる。
【００１２】
不揮発性メモリ１０１は、画像データやその他のデータ、システム制御回路１０５が動作するための各種プログラムなどを記憶する。メモリ１０２は、例えばＲＡＭからなる。表示制御手段、変更手段および算出手段としてのシステム制御回路１０５は、例えば不揮発性メモリ１０１に格納される制御プログラムに従い、メモリ１０２をワークメモリとして用いて無線通信装置１００の各部を制御する。
【００１３】
操作部１０６はユーザの操作を受け付け、操作に応じた制御信号を生成し、システム制御回路１０５に供給する。例えば、操作部１０６は、ユーザ操作を受け付ける入力デバイスとして、キーボードといった文字情報入力デバイスや、マウスやタッチパネルといったポインティングデバイスなどからなる。なお、タッチパネルは、例えば平面的に構成された入力部に対して接触された位置に応じた座標情報を出力する入力デバイスである。システム制御回路１０５は、入力デバイスに対してなされたユーザ操作に応じて操作部１０６で生成される制御信号に基づき、無線通信装置１００の各部を制御する。これにより、無線通信装置１００に対し、ユーザ操作に応じた動作を行わせることができる。
【００１４】
表示制御部１０３は、表示部１０４に画像を表示させるための表示信号を出力する。システム制御回路１０５は、表示制御部１０３に表示制御信号を供給する。表示制御部１０３は、この表示制御信号に基づき表示信号を生成して表示部１０４に出力する。例えば、表示制御部１０３は、システム制御回路１０５が生成する表示制御信号に基づき、ＧＵＩ（Ｇｒａｐｈｉｃａｌ  Ｕｓｅｒ  Ｉｎｔｅｒｆａｃｅ）を構成するＧＵＩ画面を表示部１０４に表示可能である。
【００１５】
なお、操作部１０６としてタッチパネルを用いる場合、操作部１０６と表示部１０４とを一体的に構成することができる。例えば、タッチパネルを光の透過率が表示部１０４の表示を妨げないように構成し、表示部１０４の表示面に取り付ける。そして、タッチパネルにおける入力座標と、表示部１０４上の表示座標とを対応付ける。これにより、あたかもユーザが表示部１０４上に表示された画面を直接的に操作可能であるかのようなＧＵＩを構成できる。
【００１６】
１０７は無線ＬＡＮ通信手段であり、外部機器との通信機能を制御し、アンテナ１０８と接続されている。
【００１７】
以上、無線通信装置１００の構成について述べた。以下、本実施形態における無線通信装置１００の動作を説明する。本実施形態では、無線通信装置１００がネットワークを検索して見つかった無線アクセスポイント（ＡＰ）と接続する際の処理について説明する。
【００１８】
なお、本実施形態における無線ＡＰはネットワーク管理装置の一例であり、通常モードとステルスモードを有する。通常モードの場合、無線ＡＰはネットワークＩＤの一例であるＥＳＳＩＤを含んだビーコン信号を送信する。ステルスモードの場合、無線ＡＰはＥＳＳＩＤを含まないビーコン信号を送信する。したがって、ステルスモードの無線ＡＰからのビーコン信号を受信した無線通信装置１００は、自機の周囲に無線ＡＰが存在することは認識できるものの、そのネットワークを識別する情報を認識することはできない。以下、通常モードの無線ＡＰを「通常ＡＰ」、ステルスモードの無線ＡＰを「ステルスＡＰ」とも呼ぶ。もちろん、ステルスモードを有する無線ＡＰと通常モードしか有さない無線ＡＰとの両方が存在していてもよい。
【００１９】
以下、通常ＡＰのみが見つかった場合、ステルスＡＰが１つ見つかった場合、ステルスＡＰが複数見つかった場合に分けて、無線通信装置１００の動作の概要について説明する。なお、以下の説明でＡＰが見つかる、という表現は、ＡＰが形成するネットワークが見つかる、とう意味と同様であるものとする。また、通常ＡＰが形成するネットワークは第１ネットワークの一例であり、ステルスＡＰが形成するネットワークは第２ネットワークの一例である。
【００２０】
＜通常ＡＰのみが見つかった場合＞
まず図２を用いて、通常ＡＰのみが見つかった場合について説明する。まず、ユーザ操作などにより、無線通信装置１００による無線ネットワークの検索が指示される。すると無線通信装置１００は周囲の無線ＡＰから定期的に送信されるビーコン信号を検索する。このビーコン信号により、無線通信装置１００は自機の周囲に無線ＡＰが存在することを認識することができる。検索により見つかったビーコン信号から無線ＡＰのＥＳＳＩＤ、セキュリティ情報を抽出し、図２の画面２０１のような無線ＡＰの一覧を表示部１０４に表示する。画面２０１には見つかった無線ＡＰのＥＳＳＩＤと、セキュリティ設定がなされている（暗号化処理が有効である）ことを示す鍵マークを組とした無線ＡＰ情報が一覧表示される。この無線ＡＰ情報はネットワーク情報の一例である。なお、無線ＡＰ情報の一覧表示の順番は、無線ネットワーク検索処理において見つかった順番とする。このケースではステルスＡＰは見つからなかった場合を想定しているため、見つかったすべての無線ＡＰのＥＳＳＩＤが表示される。
【００２１】
ここで画面２０１において、例えばユーザ操作によりＥＳＳＩＤがＡｃｃｅｓｓＰｏｉｎｔ＿８の無線ＡＰが選択されたとすると、画面２０２に示す暗号化キーの入力画面に遷移する。
【００２２】
画面２０２では、ユーザが選択した無線ＡＰのセキュリティ種別である認証／暗号種別が表示されている。ユーザは、空欄の部分に選択した無線ＡＰの暗号化キーを入力して「次へ」ボタンを押す。無線通信装置１００は、選択された無線ＡＰに対する接続及び認証を要求し、無線ＡＰとの接続を確立する。以上が、通常ＡＰのみが見つかった場合の動作の概要である。
【００２３】
＜ステルスＡＰが１つ見つかった場合＞
次に、ステルスＡＰが１つ見つかった場合について説明する。この場合の無線ＡＰ情報の一覧表示は図６の画面６０１のようになる。画面６０１に示すように、ビーコン信号にＥＳＳＩＤが含まれていない場合、画面６０１に示すようにＥＳＳＩＤが空欄の無線ＡＰ情報を一覧表示に追加する。画面６０１の例で言えば、２番目に見つかった無線ＡＰがステルスＡＰだった、ということになる。なお、ステルスＡＰからのビーコン信号であっても、認証／暗号種別などのセキュリティ設定に関する情報は含まれている。したがって、セキュリティ設定が有効なステルスＡＰを示す無線ＡＰ情報の場合、空欄のＥＳＳＩＤ欄の横に鍵マークを表示する。
【００２４】
画面６０１において、例えばユーザ操作によりステルスＡＰ（ＥＳＳＩＤが空欄の無線ＡＰ情報）が選択されたとすると、画面６０２に示すＥＳＳＩＤの入力画面に遷移する。画面６０２では、ユーザは空欄部分に所望のステルスＡＰのＥＳＳＩＤを入力し「次へ」ボタンを押すと、画面６０３に示す暗号化キーの入力画面に遷移する。
【００２５】
画面６０３では、ユーザが選択したステルスＡＰの認証／暗号種別が表示されている。これは、無線ネットワーク検索処理において、ステルスＡＰでも認証／暗号種別が取得できるからである。ユーザは所望の無線ＡＰの暗号化キーを入力して「次へ」ボタンを押す。すると、無線通信装置１００は選択された無線ＡＰに対する接続及び認証を要求し、無線ＡＰとの接続を確立する。なお、一覧表示から通常ＡＰが選択された場合は、図２と同様の動作となる。以上が、ステルスＡＰが１つ見つかった場合の動作の概要である。このようにすることで、ユーザは通常の無線ＡＰ情報の一覧画面の中でステルスＡＰの存在を認識することができる。また、ＥＳＳＩＤが空欄の無線ＡＰ情報も選択可能とし、接続処理に移行するようにしたことで、通常ＡＰと類似した手順でステルスＡＰへの接続を可能としている。
【００２６】
＜ステルスＡＰが複数見つかった場合＞
次に図８（ａ）を用いて、ステルスＡＰが複数見つかった場合について説明する。この場合の無線ＡＰの一覧表示は図８（ａ）の画面８０１のようになる。画面８０１に示すように、本実施形態では例えビーコン信号にＥＳＳＩＤが含まれていない無線ＡＰが複数検索されたとしても、ＥＳＳＩＤが空欄の無線ＡＰを複数表示せず、１つの欄に統合して表示する。なお、本実施形態では、複数のステルスＡＰをまとめて１つの欄に表示する場合、最初に見つかったステルスＡＰのセキュリティ設定に基づき、鍵マークを表示するか否かが決定される。つまり、最初に見つかったステルスＡＰにセキュリティ設定がされていれば鍵マークが表示され、最初に見つかったステルスＡＰにセキュリティ設定がされていなければ鍵マークは表示されない。
【００２７】
画面８０１において、例えばユーザ操作によりステルスＡＰを選択すると、画面８０２に示すＥＳＳＩＤの入力画面に遷移する。画面８０２は、図６の画面６０２と同じ画面であるが、「次へ」ボタンを押下した後の画面遷移が異なる。
【００２８】
画面８０２において、ユーザが空欄部分に所望のステルスＡＰのＥＳＳＩＤを入力し、「次へ」ボタンを押すと、画面８０３に示す入力画面に遷移する。
【００２９】
画面８０３は、所望のステルスＡＰの認証／暗号種別をユーザに選択させるため画面である。これは、ステルスＡＰが複数存在し、それぞれに異なる暗号種別が設定されている可能性があるからである。ユーザ操作により、所望のステルスＡＰの認証／暗号種別が選択されると、画面８０４に示す暗号化キー入力画面に遷移する。
【００３０】
画面８０４は、暗号化キーの入力画面である。画面８０４には、ユーザが画面８０３において選択した認証／暗号種別が表示されている。ユーザは空欄の部分に、選択した無線ＡＰの暗号化キーを入力して「次へ」ボタンを押す。無線通信装置１００は入力されたＥＳＳＩＤを特定して所望の無線ＡＰに接続及び認証を要求し、無線ＡＰとの接続を確立する。なお、通常ＡＰが選択された場合は、図２と同様の動作となる。以上が、ステルスＡＰが複数見つかった場合の動作の概要である。このようにすることで、ステルスＡＰが見つかるたびにＥＳＳＩＤが空欄の項目を追加するよりも、ユーザにとって視覚的に認識しやすい画面を提供することが可能となる。また、複数のステルスＡＰを個別に一覧表示すると、例えば所望のステルスＡＰとは認証／暗号種別が異なるステルスＡＰをユーザが選択してしまうおそれがあった。この場合、ユーザが所望のステルスＡＰのＥＳＳＩＤや暗号化キーを入力しても、所望のステルスＡＰには接続できないことになる。それに対し本実施形態では、ステルスＡＰを示す無線ＡＰ情報が選択された場合は暗号種別を入力させる処理を設けることで、ユーザが所望するステルスＡＰに容易に接続することを可能としている。
【００３１】
なお、図８（ｂ）のように、画面２０１、画面６０１、画面８０１における無線ＡＰの一覧表示に、ユーザによるマニュアル設定を行う項目を含めてもよい。このマニュアル設定を行う項目は、ステルスＡＰの有無によらず、例えば一覧表示の一番下、もしくは一番上に常に表示することが考えられる。ユーザ操作により「マニュアル設定」が選択されると、図８（ａ）のようなＳＳＩＤ入力画面８０２、セキュリティ設定入力画面８０３、暗号化キー入力画面８０４が表示され、ユーザは任意の無線ＡＰと接続することができる。なお、マニュアル設定の欄と、ＥＳＳＩＤが空欄の無線ＡＰ情報とはその両方を一覧表示内に含めることが望ましい。マニュアル設定を用意している場合であっても、あえてＥＳＳＩＤが空欄の無線ＡＰ情報も表示することで、ステルスＡＰが周囲に存在することをユーザに認識させることができるからである。
【００３２】
＜処理フローチャート＞
上述の画面遷移を実現するための処理を図３〜図５のフローチャートを用いて説明する。図３は、本実施形態における無線通信装置１００が無線ＡＰへ接続する処理の流れを示したフローチャート図である。このフローチャートにおける各処理は、システム制御回路１０５が、不揮発性メモリ１０１に格納されたプログラムをメモリ１０２に展開して実行することにより実現される。
【００３３】
まず、Ｓ３０１において、システム制御回路１０５は、無線ＬＡＮ通信手段１０７を用いて、無線ネットワーク検索処理を行う。具体的には、自機の周辺に存在する無線ＡＰが発するビーコン信号を受信し、無線ＡＰ情報を取得する。システム制御回路１０５は、無線ネットワーク検索処理により取得した各無線ＡＰの情報をメモリ１０２に設けられた無線ＡＰ情報領域に記憶しておく。
【００３４】
Ｓ３０２において、システム制御回路１０５は、Ｓ３０１において見つかった無線ＡＰ情報の一覧を表示部１０４に表示する無線ＡＰ情報一覧表示処理を行う。以下、この処理について詳細に説明する。
【００３５】
図４は、本実施形態における無線ＡＰ一覧表示処理の流れを示したフローチャート図である。このフローチャートにおける各処理は、システム制御回路１０５が、不揮発性メモリ１０１に格納されたプログラムをメモリ１０２に展開して実行することにより実現される。
【００３６】
Ｓ４０１において、システム制御回路はＳ３０１の無線ネットワーク検索処理において見つかった無線ＡＰ数を変数Ｎの値としてメモリ１０２に記憶し、Ｓ４０２に進む。
【００３７】
Ｓ４０２において、システム制御回路１０５は、メモリ１０２に用意した変数ｎに１をセットし、Ｓ４０３に進む。
【００３８】
Ｓ４０３において、システム制御回路１０５はＳ３０１で無線ＡＰ情報記憶領域に記憶した無線ＡＰ情報の中から、ｎ番目に見つかった無線ＡＰのＥＳＳＩＤ情報を読み出し、Ｓ４０４に進む。
【００３９】
Ｓ４０４において、システム制御回路１０５はＳ４０３で取得したＥＳＳＩＤが隠蔽されているか（ＥＳＳＩＤ情報がｎｕｌｌ）否かを判断する。この処理により、システム制御回路１０５は、無線ＡＰがステルスモードであるか否かを判断する。Ｓ４０４において、ＥＳＳＩＤが隠蔽されていると判断した場合にはＳ４０５に進む。Ｓ４０４において、ＥＳＳＩＤが隠蔽されていないと判断した場合にはＳ４０７に進む。
【００４０】
Ｓ４０５において、システム制御回路１０５は既にＥＳＳＩＤ欄が空欄の無線ＡＰ情報を表示する設定（以下、ステルスＡＰ表示設定と呼ぶ）が既になされているか否かを判断する。Ｓ４０５において、ステルスＡＰ表示設定がすでになされていると判断した場合には、Ｓ４１３に進む。ステルスＡＰ表示設定がまだなされていないと判断した場合には、Ｓ４０６に進む。
【００４１】
Ｓ４０６において、システム制御回路１０５は、ステルスＡＰ表示設定を行い、Ｓ４０８に進む。
【００４２】
これに対しＳ４０７では、システム制御回路１０５は、Ｓ４０３において取得したＥＳＳＩＤを表示する設定を行い、Ｓ４０８に進む。
【００４３】
Ｓ４０８において、システム制御回路１０５は、無線ＡＰ情報記憶領域の無線ＡＰ情報の中からｎ番目の無線ＡＰの認証／暗号種別情報を取得し、Ｓ４０９に進む。
【００４４】
Ｓ４０９において、システム制御回路１０５は、Ｓ４０８において取得した認証／暗号種別情報を参照し、セキュリティ設定がなされているか否かを判断する。Ｓ４０９において、セキュリティ設定がされていると判断した場合には、Ｓ４１０に進む。Ｓ４０９において、セキュリティ設定がされていないと判断した場合には、Ｓ４１１に進む。
【００４５】
Ｓ４１０において、システム制御回路１０５は、セキュリティ設定が有効であることを示す、鍵マークを表示するための設定（以下、鍵マーク表示設定と呼ぶ）を行い、Ｓ４１２に進む。
【００４６】
Ｓ４１１において、システム制御回路１０５は、セキュリティが設定が有効でないことを示す、鍵マークを表示しない設定（以下、鍵マーク非表示設定と呼ぶ）を行い、Ｓ４１２に進む。
【００４７】
Ｓ４１２において、システム制御回路１０５は、変数ｎが無線ＡＰ数：Ｎであるか否かを判断する。Ｓ４１２において、ｎ＝Ｎである、つまりすべての無線ＡＰ情報に対して処理が終わったと判断した場合には、Ｓ４１３に進む。Ｓ４１２において、ｎ＝Ｎではない、つまりまだすべての無線ＡＰ情報に対して処理が終わっていないと判断した場合には、Ｓ４１４に進む。
【００４８】
Ｓ４１４において、システム制御回路１０５は、ｎをインクリメントしてＳ４０３に戻り、Ｓ４０４〜Ｓ４１２の処理をｎ＝Ｎになるまで繰り返し行う。
【００４９】
すべての無線ＡＰ情報に対して処理が終わった場合、Ｓ４１３において、システム制御回路１０５は、表示制御部１０３を用いて無線ＡＰの一覧を表示部１０４に表示し、無線ＡＰ一覧表示処理を終了する。見つかった無線ＡＰの数に応じて、図２の画面２０１、図６の画面６０１、図８（ａ）の画面８０１に示すような無線ＡＰの一覧が表示される。ここまでが、図３のＳ３０２の無線ＡＰ情報一覧表示処理である。
【００５０】
以下、再び図３を参照しながら説明する。Ｓ３０３において、ユーザは表示部１０４に表示された無線ＡＰ情報の一覧表示の中から、所望の無線ＡＰを操作部１０６を用いて選択する。前述したように、ユーザはＥＳＳＩＤが空欄の無線ＡＰを選択することもできる。システム制御回路１０５は、ユーザ操作によりいずれの無線ＡＰが選択されたかをメモリ１０２に記憶し、Ｓ３０４に進む。
【００５１】
Ｓ３０４において、システム制御回路１０５は、ユーザ操作によりＥＳＳＩＤが空欄の無線ＡＰ情報、つまりステルスＡＰを示す無線ＡＰ情報が選択されたか否かを判断する。ステルスＡＰを示す無線ＡＰが選択されたと判断した場合はＳ３０５に進む。ステルスＡＰを示す無線ＡＰ情報が選択されていない、つまり通常ＡＰを示す無線ＡＰ情報が選択されたと判断した場合はＳ３０６に進む。
【００５２】
Ｓ３０６において、システム制御回路１０５は、通常ＡＰとの接続処理を行う。以下、Ｓ３０６の処理について詳細に説明する。
【００５３】
図５は、本実施形態における通常ＡＰと接続する際の処理の流れを示したフローチャート図である。このフローチャートにおける各処理は、システム制御回路１０５が、不揮発性メモリ１０１に格納されたプログラムをメモリ１０２に展開して実行することにより実現される。
【００５４】
Ｓ５０１において、システム制御回路１０５は選択された通常ＡＰにセキュリティ設定がなされているかを判断する。セキュリティ設定がなされていると判断した場合は処理をＳ５０２に進める。セキュリティ設定がなされていないと判断した場合は処理をＳ５０３に進める。
【００５５】
Ｓ５０２において、システム制御回路１０５は表示部１０４に図２の画面２０２を表示し、ユーザ操作による暗号化キーの入力を受け付ける。ユーザはＳ３０３において選択した無線ＡＰの暗号化キーを操作部１０６を用いて入力する。システム制御回路１０５は、ユーザにより入力された暗号化キーを、メモリ１０２に設けられたネットワーク接続処理用領域に記憶し、Ｓ５０３に進む。
【００５６】
Ｓ５０３において、システム制御回路１０５は、Ｓ３０１の無線ネットワーク検索処理の際にメモリ１０２の無線ＡＰ情報領域に記憶した各無線ＡＰの情報から、Ｓ３０３においてユーザにより選択された無線ＡＰに関する情報を読み出す。そして、無線ＡＰに関する情報の中から無線ＡＰに接続する際に必要な情報をメモリ１０２のネットワーク接続処理用領域に記憶し、Ｓ５０４に進む。無線ＡＰに接続する際に必要な情報としては、ＥＳＳＩＤ、認証／暗号種別、チャンネル、ＢＳＳＩＤなどがあげられる。ただし、チャンネル、ＢＳＳＩＤに関してはなくても接続は可能である。
【００５７】
Ｓ５０４において、システム制御回路１０５は、Ｓ５０２、Ｓ５０３においてメモリ１０２のネットワーク接続処理用領域に記憶した情報に基づき、無線ＬＡＮ通信手段１０７を用いて無線ＡＰへの接続処理を行う。以上が、図３のＳ３０６における通常ＡＰとの接続する際の処理についての説明である。
【００５８】
次に、図３のＳ３０４からＳ３０５に進んだ場合について説明する。この場合、システム制御回路１０５は、ステルスＡＰとの接続処理を行う。図７は、本実施形態におけるステルスＡＰと接続する際の処理の流れを示したフローチャート図である。このフローチャートにおける各処理は、システム制御回路１０５が、不揮発性メモリ１０１に格納されたプログラムをメモリ１０２に展開して実行することにより実現される。
【００５９】
ステルスＡＰを示す無線ＡＰ情報が選択された場合、まずＳ７０１において、システム制御回路１０５は表示部１０４に図６の画面６０２を表示し、ユーザ操作によるＥＳＳＩＤの入力を受け付ける。ユーザは、所望のステルスＡＰのＥＳＳＩＤを操作部１０６を用いて入力する。システム制御回路１０５は、ユーザにより入力されたＥＳＳＩＤをメモリ１０２のネットワーク接続処理用領域に記憶し、Ｓ７０２に進む。
【００６０】
Ｓ７０２において、システム制御回路１０５は、Ｓ３０１の無線ネットワーク検索処理においてステルスＡＰが複数見つかったか否かを判断する。ステルスＡＰが複数見つかったと判断した場合には、Ｓ７０３に進む。複数のステルスＡＰが複数見つからなかった、つまりステルスＡＰが１つだけであると判断した場合には、Ｓ７０６に進む。
【００６１】
まず、Ｓ７０６に進んだ場合について説明する。Ｓ７０６において、システム制御部１０５は、表示部１０４に図６の画面６０３を表示する。前述のように画面６０３にはステルスＡＰの認証／暗号種別を示す表示と、暗号化キーを入力する領域が表示される。ユーザは所望のステルスＡＰの暗号化キーを操作部１０６を用いて入力する。システム制御回路１０５は、ユーザ操作により入力された暗号化キーをメモリ１０２のネットワーク接続処理用領域に記憶し、Ｓ７０７に進む。
【００６２】
Ｓ７０７において、システム制御回路１０５は、Ｓ３０１の無線ネットワーク検索処理の際にメモリ１０２の無線ＡＰ情報領域に記憶した各無線ＡＰの情報から、Ｓ３０３においてユーザにより選択されたステルスＡＰに関する情報を読み出す。そして、ステルスＡＰに関する情報の中から無線ＡＰに接続する際に必要な情報をメモリ１０２のネットワーク接続処理用領域に記憶し、Ｓ７０８に進む。
【００６３】
Ｓ７０８において、システム制御回路１０５は、Ｓ７０１、Ｓ７０６、Ｓ７０７においてメモリ１０２のネットワーク接続処理用領域に記憶した情報に基づき、無線ＬＡＮ通信手段１０７を用いて無線ＡＰへの接続処理を行う。以上が、ステルスＡＰが１つだけ見つかった際の処理の説明である。
【００６４】
次に、Ｓ７０２からＳ７０３に進んだ場合について説明する。Ｓ７０３において、システム制御回路１０５はＳ３０１の無線ネットワーク検索処理において見つかった複数のステルスＡＰの認証／暗号種別がすべて同じか否かを判断する。認証／暗号種別がすべて同じであると判断した場合には、Ｓ７０５に進む。一方、認証／暗号種別がすべて同じではないと判断した場合には、Ｓ７０４を経由してＳ７０５に進む。
【００６５】
Ｓ７０４では、システム制御回路１０５は表示部１０４に図８（ａ）の画面８０３を表示し、認証／暗号種別を選択するユーザ操作を受け付ける。ユーザは所望のステルスＡＰの認証／暗号種別を操作部１０６を用いて選択する。システム制御回路１０５は、ユーザにより選択された認証／暗号種別をメモリ１０２のネットワーク接続処理用領域に記憶し、Ｓ７０５に進む。なお、Ｓ７０３において認証／暗号種別がすべて同じであると判断された場合は、認証／暗号種別が１つに特定できるため、本ステップによる選択処理は行う必要がない。
【００６６】
Ｓ７０５において、システム制御回路１０５は表示部１０４に図８（ａ）の画面８０４を表示し、ユーザ操作による暗号化キーの入力を受け付ける。ユーザは所望のステルスＡＰの暗号化キーを操作部１０６を用いて入力する。システム制御回路１０５は、ユーザ操作により入力された暗号化キーをメモリ１０２のネットワーク接続処理用領域に記憶し、Ｓ７０８に進む。
【００６７】
Ｓ７０８において、システム制御回路１０５は、Ｓ７０１、Ｓ７０４、Ｓ７０５においてメモリ１０２のネットワーク接続処理用領域に記憶した情報をもとに無線ＬＡＮ通信手段１０７を用いて無線ＡＰへの接続処理を行う。以上が、ステルスＡＰが複数見つかった場合の処理である。
【００６８】
以上が、図３のＳ３０５におけるステルスＡＰとの接続処理である。無線ＡＰとの接続処理が完了後、システム制御回路１０５は図３に示す処理を終了する。
【００６９】
以上のように、本実施形態によれば、ネットワーク検索処理によりステルスＡＰが見つかった場合、ＥＳＳＩＤが空欄の無線ＡＰ情報を通常ＡＰの情報とともに表示することにより、ステルスＡＰの存在をユーザに視覚的に認識させることができる。
【００７０】
また、ＥＳＳＩＤが空欄の無線ＡＰ情報も選択可能とし、ステルスＡＰと接続する処理を開始するようにしたことで、ユーザは他の通常ＡＰと同様の操作感でステルスＡＰとの接続を行うことが可能となる。
【００７１】
また、ステルスＡＰが複数見つかった場合には、ＥＳＳＩＤが空欄の無線ＡＰ情報を１つだけ表示し、それを選択すれば複数のステルスＡＰのうち所望のステルスＡＰと接続できるようにした。このことにより、ステルスＡＰの数だけＥＳＳＩＤが空欄の無線ＡＰ情報を表示する場合に比べて、ユーザはどれが所望のステルスＡＰの情報であるか迷うことがなくなる。
【００７２】
また、複数のステルスＡＰの認証／暗号種別がすべて同じである場合には、認証／暗号種別を設定するユーザ操作を省略することとした。これにより、ユーザの手間をより減らすことができる。
【００７３】
なお本実施形態では、図４の無線ＡＰ情報一覧表示処理において、ステルスＡＰが複数ある場合、最初に見つかったステルスＡＰの認証／暗号種別に合わせてステルスＡＰの表示を行うという構成にしている。しかし、必ずしもこのような表示形態を採用する必要はない。例えば、複数のステルスＡＰが見つかった場合は、複数のステルスＡＰすべてにセキュリティがかかっている場合のみ鍵マークを表示するという構成にしてもよい。もしくは、ステルスＡＰが１つだけ見つかった場合は、見つかったステルスＡＰの暗号化設定に合わせて鍵マーク表示の有無を判断し、複数のステルスＡＰが見つかった場合は、一律で鍵マークは表示しないという構成にしてもよい。このようにすることで、ステルスＡＰにセキュリティをかけていないにもかかわらず鍵マークが表示され、ユーザが選択対象からステルスＡＰを除外してしまうという事態は少なくとも防止することができる。
【００７４】
［第２の実施形態］
第１の実施形態では、無線ＡＰ情報を見つかった順に一覧表示する例について説明した。これに対し本実施形態では、見つかった無線ＡＰのうち、電波強度が強い順に一覧表示する例について説明する。なお、本実施形態は第１の実施形態と共通する部分が多いため、共通する部分については説明を省略し、本実施形態に特有の部分を中心に説明する。
【００７５】
本実施形態が第１の実施形態と大きく異なるのは、第１の実施形態では図４で説明した無線ＡＰ情報一覧表示処理を行うのに対し、図９に示す無線ＡＰ一覧表示処理を行う点である。このフローチャートにおける各処理は、システム制御回路１０５が、不揮発性メモリ１０１に格納されたプログラムをメモリ１０２に展開して実行することにより実現される。なお、本フローチャートに示す処理は、図３のステップＳ３０２で行われる処理に相当する。
【００７６】
Ｓ９０１において、システム制御回路１０５は、図３のＳ３０１の無線ネットワーク検索処理においてメモリ１０２の無線ＡＰ情報領域に記憶した無線ＡＰ情報を読み出し、Ｓ９０２に進む。
【００７７】
図１０に、メモリ１０２の無線ＡＰ情報領域に記憶されている無線ＡＰ情報の一例を示す。本実施形態では図１０に示すように、無線ネットワーク検索処理により受信した無線ＡＰ情報に基づき、無線ＡＰのＥＳＳＩＤ、ＢＳＳＩＤ、認証種別、暗号種別、チャンネル、電波強度をテーブルで管理するものとする。なお、電波強度は１０段階の数字で示され、数字が大きいほど電波強度が強いものとする。
【００７８】
Ｓ９０２において、システム制御回路１０５は、Ｓ９０１において読み出した無線ＡＰ情報を電波強度順にソートし、Ｓ９０３に進む。図１０の無線ＡＰ情報をソートするとＮｏ．１、５、６、２、４、３，７の順になる。
【００７９】
Ｓ９０３〜Ｓ９０６の処理は、第１の実施形態の図４で説明したＳ４０１〜Ｓ４０４の処理と同様であるため、説明は省略する。
【００８０】
Ｓ９０７において、システム制御回路１０５は、既にステルスＡＰ表示設定がされているか否かを判断する。既にステルスＡＰ表示設定がされていると判断した場合、Ｓ９１５に進む。ステルスＡＰ表示設定がされていないと判断した場合には、Ｓ９０８に進む。
【００８１】
まず、Ｓ９０８に進んだ場合について説明する。Ｓ９０８〜Ｓ９１３の処理は、図４のＳ４０６〜Ｓ４１１の処理と同様であるから、ここでは説明を省略する。
【００８２】
Ｓ９１４において、システム制御回路１０５は、ｎ番目のステルスＡＰの電波強度をもとに電波強度マークを表示する設定をメモリ１０２に書き込み、Ｓ９１９に進む。
【００８３】
次に、Ｓ９０７からＳ９１５に進んだ場合について説明する。Ｓ９１５において、システム制御回路１０５は、既に設定したステルスＡＰ情報の鍵マーク表示設定を読み出し、Ｓ９１６に進む。
【００８４】
Ｓ９１６において、システム制御回路１０５は、ｎ番目の無線ＡＰの認証／暗号種別を読み出し、Ｓ９１７に進む。
【００８５】
Ｓ９１７において、システム制御回路１０５は、Ｓ９１５で読み出した結果を参照し、既にステルスＡＰ情報の鍵マーク表示設定がなされているかを判断する。さらに本ステップでは、Ｓ９１６で読み出した結果を参照し、ｎ番目の無線ＡＰがセキュリティ設定なしか否かを判断する。既に鍵マーク表示設定がなされており、かつｎ番目の無線ＡＰがセキュリティ設定されていないと判断した場合には、Ｓ９１８に進む。それ以外の場合はＳ９１９に進む。Ｓ９１９に進むケースの１つ目は、既に鍵マーク表示設定がされており、かつｎ番目の無線ＡＰにセキュリティ設定がなされていると判断した場合である。２つ目のケースは鍵マーク表示設定がまだなされていない場合である。
【００８６】
Ｓ９１８において、システム制御回路１０５は、ＥＳＳＩＤ空欄設定の鍵マークの表示設定を非表示設定にし、Ｓ９１９に進む。
【００８７】
Ｓ９１９において、システム制御回路１０５は、変数ｎが無線ＡＰ数：Ｎであるか否かを判断する。Ｓ９１９において、ｎ＝Ｎである、つまりすべての無線ＡＰ情報に対して処理が終わったと判断した場合には、Ｓ９２１に進む。Ｓ９１９において、ｎ＝Ｎではない、つまりまだすべての無線ＡＰ情報に対して処理が終わっていないと判断した場合には、Ｓ９２０に進む。
【００８８】
Ｓ９２０において、システム制御回路１０５は、ｎをインクリメントしてＳ９０５に戻り、Ｓ９０５〜Ｓ９１８の処理をｎ＝Ｎになるまで繰り返し行う。
【００８９】
すべての無線ＡＰ情報に対して処理が終わった場合は、Ｓ９２１において、システム制御回路１０５は、表示制御部１０３を用いて無線ＡＰの一覧を表示部１０４に表示し、無線ＡＰ情報一覧表示処理を終了する。
【００９０】
以上が、無線ＡＰを電波強度に基づく順序で一覧表示する際の処理である。図１０のような無線ＡＰが発見された場合において、図９の処理を行った場合の結果を図１１に示す。以下、図１１の画面が表示されるプロセスを説明する。
【００９１】
まず、電波強度が最も強い（強度１０）、１番の無線ＡＰが最上段に表示される。１番の無線ＡＰはＥＳＳＩＤが隠蔽されておらず、セキュリティ設定がなされているため、ＥＳＳＩＤと鍵マークが表示される。次に、電波強度が２番目に強い（強度８）、５番の無線ＡＰが２段目に表示される。５番の無線ＡＰはＥＳＳＩＤが隠蔽されており、セキュリティ設定がなされているため、ＥＳＳＩＤは空欄となり、鍵マークは表示される設定となる。３段目には電波強度が３番目に強い（強度６）、６番の無線ＡＰが表示される。６番の無線ＡＰはＥＳＳＩＤは隠蔽されていないがセキュリティ設定がなされていないため、ＥＳＳＩＤは表示されるが鍵マークは表示されない。
【００９２】
６番の無線ＡＰの次に電波強度が強いのは２番の無線ＡＰ（強度４）である。ただし、２番の無線ＡＰはＥＳＳＩＤが隠蔽されているステルスＡＰである。したがって、一覧表示としては新たに無線ＡＰ情報は追加されず、５番の無線ＡＰ情報に基づき表示されることになっていた、２段目の無線ＡＰ情報と統合される。なお本実施形態では、統合後も、電波強度は既に表示していた５番の無線ＡＰの電波強度（より強い電波強度）に基づき表示する。統合後の鍵マークの表示／非表示は図９のＳ９１７の判断結果による。今回のケースであれば、既に鍵マーク表示設定がなされており、かつ２番の無線ＡＰはセキュリティ設定がなされている。したがって、鍵マーク表示設定は維持される。なお、仮に２番の無線ＡＰにセキュリティ設定がなされていない場合、鍵マーク非表示設定がなされることになる（図９のＳ９１８）。
【００９３】
２番の無線ＡＰについての処理が完了すると、以下、電波強度の強い順に４番の無線ＡＰ、３番の無線ＡＰ、７番の無線ＡＰに対する処理を行う。そして上記の処理の結果、図１１の画面が表示されることになる。
【００９４】
以上のように、本実施形態では、無線ＡＰ一覧表示においてＥＳＳＩＤ、電波強度マーク、鍵マークを表示し、電波強度の強い順に表示する形態を説明した。本実施形態では、ステルスＡＰが複数見つかった場合は、最も電波強度の強いステルスＡＰの位置に、ステルスＡＰ情報を１つ表示する構成とした。
【００９５】
なお、複数のステルスＡＰの電波強度を平均化した値を、ステルスＡＰ情報の表示順序の基準として用いてもよい。もしくは、ステルスＡＰが一つだけ見つかった場合のみ、電波強度でソートした位置に表示するという構成にして、複数のステルスＡＰが見つかった場合には、一番上もしくは一番下などの予め定められた位置に表示するという構成にしてもよい。また、複数のステルスＡＰが見つかった場合は、ＥＳＳＩＤの欄などに複数のステルスＡＰが存在する旨を表示してもよい。
【００９６】
また、本実施形態において、ステルスＡＰが複数見つかった場合、電波強度マークについて、電波強度が最も強いステルスＡＰの電波強度に基づいて電波強度マークを表示するようにした。しかし、電波強度マークについて、複数のステルスＡＰの電波強度を平均化した値に基づいて、表示する電波強度マークを決定してもよい。もしくは、ステルスＡＰが一つだけ見つかった場合のみ、電波強度に基づいた電波強度マークを表示するという構成にして、複数のステルスＡＰが見つかった場合には、電波強度マークを表示しないという構成にしてもよい。
【００９７】
また本実施形態では、ステルスＡＰが複数見つかった場合、複数のステルスＡＰすべてにおいてセキュリティ設定されている場合のみ鍵マークを表示し、一つでもセキュリティ設定がないステルスＡＰが存在する場合には鍵マークを表示しないこととした。しかし、鍵マークの表示について、第１の実施形態と同じように、ソート順が最初のステルスＡＰの認証／暗号種別に基づいて鍵マークを表示するという構成にしてもよい。もしくは、ステルスＡＰが１つだけ見つかった場合のみ、認証／暗号種別に基づいて鍵マークを表示するという構成にして、複数のステルスＡＰが見つかった場合には、認証／暗号種別にかかわらず鍵マークを表示しないという構成にしてもよい。
【００９８】
＜他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。例えば、無線ＡＰをＥＳＳＩＤのアルファベット順に一覧表示するようにしてもよい。この場合は、ステルスＡＰの項目を、例えば一覧表示の一番上または一番下などの予め定められた位置に表示することが可能である。
【００９９】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2014078914.tif 000003
【図２】
2014078914.tif 000004
【図３】
2014078914.tif 000005
【図４】
2014078914.tif 000006
【図５】
2014078914.tif 000007
【図６】
2014078914.tif 000008
【図７】
2014078914.tif 000009
【図８】
2014078914.tif 000010
【図９】
2014078914.tif 000011
【図１０】
2014078914.tif 000012
【図１１】
2014078914.tif 000013